(57)【要約】【課題】装置のコストを抑えつつ、床下の湿度と屋外の湿度との関係に基づいて、換気用換気装置と給気用換気装置とを組み合わせた効率的な床下の除湿をすることができる床下換気システムを得ることを得ること。【解決手段】床下換気システム２床下から空気を排気する排気用換気装置２１と、床下に空気を給気する給気用換気装置２２と、床下湿度を検知する床下用湿度センサ３１と、屋外湿度を検知する外気用湿度センサ３２と、床下用湿度センサに検知された検知床下湿度よりも外気用湿度センサに検知された検知屋外湿度が小さい場合には、排気用換気装置および給気用換気装置の少なくともいずれか一方を動作させる制御部１と、を備える。【選択図】図１
2011237071.tif 000002
【特許請求の範囲】
【請求項１】
床下から空気を排気する排気用換気装置と、
床下に空気を給気する給気用換気装置と、
床下湿度を検知する床下用湿度センサと、
屋外湿度を検知する外気用湿度センサと、
前記床下用湿度センサに検知された検知床下湿度よりも前記外気用湿度センサに検知された検知屋外湿度が小さい場合には、前記排気用換気装置および前記給気用換気装置の少なくともいずれか一方を動作させる制御部と、を備えることを特徴とする床下換気システム。
【請求項２】
予め定められた設定湿度値を記憶する設定値記憶部をさらに備え、
前記制御部は、前記検知床下湿度および前記検知屋外湿度が前記設定値記憶部に記憶された前記第１の設定値よりも大きい場合であって、前記検知屋外湿度が前記検知床下湿度よりも小さい場合には、前記排気用換気装置を動作させ、前記給気用換気装置を停止させることを特徴とする請求項１に記載の床下換気システム。
【請求項３】
前記制御部は、前記検知床下湿度および前記検知屋外湿度が前記第１の設定値よりも小さい場合であって、前記検知屋外湿度が前記検知床下湿度よりも小さい場合には、前記排気用換気装置および前記給気用換気装置を動作させることを特徴とする請求項２に記載の床下換気システム。
【請求項４】
前記制御部は、前記検知屋外湿度が前記検知床下湿度よりも大きい場合には、前記排気用換気装置および前記給気用換気装置を停止させることを特徴とする請求項１〜３のいずれか１つに記載の床下換気システム。
【請求項５】
前記検知床下湿度と前記検知屋外湿度とを記憶する湿度記憶部をさらに備え、
前記制御部は、現在の検知床下湿度および現在の検知屋外湿度と、前記湿度記憶部に記憶された記憶床下湿度および前記湿度記憶部に記憶された記憶屋外湿度と、前記設定湿度値とに基づいて、前記排気用換気装置と前記給気用換気装置の動作を制御することを特徴とする請求項１〜４のいずれか１つに記載の床下換気システム。
【請求項６】
前記制御部は、現在の検知床下湿度と前記記憶床下湿度との差である床下変動値および現在の検知屋外湿度と前記記憶屋外湿度との差である屋外変動値を算出し、前記屋外変動値が前記設定値記憶部に記憶された第２の設定値より大きく、前記床下変動値が前記設定値記憶部に記憶された第３の設定値より大きい場合に、前記排気用換気装置および前記給気用換気装置が動作状態であれば、前記検知屋外湿度と前記検知床下湿度との大小関係に関わらず、前記給気用換気装置を停止させることを特徴とする請求項５に記載の床下換気システム。
【請求項７】
前記制御部は、前記屋外変動値が前記第２の設定値より大きく、前記床下変動値が前記第３の設定値より大きい場合であって、前記排気用換気装置が動作状態であり、前記給気用換気装置が停止状態であれば、前記検知屋外湿度と前記検知床下湿度との大小関係に関わらず、前記排気用換気装置を停止させることを特徴とする請求項５または６に記載の床下換気システム。
【請求項８】
前記排気用換気装置と前記給気用換気装置とは同一の筐体構造で構成されることを特徴とする請求項１〜７のいずれか１つに記載の床下換気システム。
【請求項９】
前記排気用換気装置および前記給気用換気装置は、開閉可能なシャッターを有し、
前記制御部は、前記換気装置の動作時には前記シャッターを開かせ、前記換気装置の停止時には前記シャッターを閉じさせることを特徴とする請求項１〜８のいずれか１つに記載の床下換気システム。
【発明の詳細な説明】
【技術分野】
【０００１】
本発明は、換気装置を用いて床下を除湿する床下換気システムに関する。
【背景技術】
【０００２】
従来、換気装置を用いて床下を換気する床下換気システムが知られている。例えば、床下に排気用換気装置を設置し、床下または屋外のどちらかの湿度を湿度センサにて測定して換気装置の運転状態を決定するという技術が特許文献１に開示されている。
【０００３】
このような床下換気システムでは、排気用換気装置のみの設置であり、湿度センサも床下または屋外の湿度検知用に１つしか搭載されていなかった。湿度センサが１つしかない場合、床下または屋外のどちらかの湿度しか検知できないため、床下の湿度と屋外の湿度の両方を考慮した効率的な運転制御が難しかった。
【０００４】
そこで、床下の湿度と屋外の湿度の両方を検知して換気除湿装置を制御する技術が、例えば特許文献２に開示されている。
【先行技術文献】
【特許文献】
【０００５】
【特許文献１】特開平１−１２３９３４号公報
【特許文献２】特開平１０−２５８８号公報
【発明の概要】
【発明が解決しようとする課題】
【０００６】
しかしながら、特許文献２に開示のものは、床下の湿度や屋外の湿度が設定値を超えるか否かを基準に、換気除湿装置の制御を行っており、床下の湿度と屋外の湿度との関係を考慮した運転制御は行っていない。また、床下の湿度や屋外の湿度が設定値以上の場合、除湿手段により床下の除湿を図るため、除湿装置が必要になり装置のコストが上昇してしまうという問題があった。
【０００７】
本発明は、上記に鑑みてなされたものであって、装置のコストを抑えつつ、床下の湿度と屋外の湿度との関係を考慮して、換気用換気装置と給気用換気装置とを組み合わせた効率的な床下の除湿をすることができる床下換気システムを得ることを目的とする。
【課題を解決するための手段】
【０００８】
上述した課題を解決し、目的を達成するために、本発明は、床下から空気を排気する排気用換気装置と、床下に空気を給気する給気用換気装置と、床下湿度を検知する床下用湿度センサと、屋外湿度を検知する外気用湿度センサと、床下用湿度センサに検知された検知床下湿度よりも外気用湿度センサに検知された検知屋外湿度が小さい場合には、排気用換気装置および給気用換気装置の少なくともいずれか一方を動作させる制御部と、を備えることを特徴とする。
【発明の効果】
【０００９】
本発明によれば、床下の湿度と屋外の湿度との関係を考慮して、換気用換気装置と給気用換気装置とを組み合わせた効率的な床下の除湿をすることができるという効果を奏する。
【図面の簡単な説明】
【００１０】
【図１】図１は、本発明の実施の形態１に係る床下換気システムの概略構成を示す図である。
【図２】図２は、床下換気システムの制御手順を示すフローチャートである。
【図３】図３は、屋外湿度および床下湿度と、床下換気システムの制御状態との関係を示す図である。
【図４】図４は、本発明の実施の形態２に係る床下換気システムの制御状態と、屋外湿度および床下湿度との関係を示す図であって、図３に示すＩ部分を拡大した図である。
【図５】図５は、本発明の実施の形態３に係る床下換気システムの概略構成を示す図である。
【発明を実施するための形態】
【００１１】
以下に、本発明の実施の形態に係る床下換気システムを図面に基づいて詳細に説明する。なお、この実施の形態によりこの発明が限定されるものではない。
【００１２】
実施の形態１．
図１は、本発明の実施の形態１に係る床下換気システムの概略構成を示す図である。床下換気システム２は、排気用換気装置２１、給気用換気装置２２、床下用湿度センサ３１、外気用湿度センサ３２、コントローラ１（制御部）を備える。床下換気システム２は、床下の南側に給気用換気装置２２を備え、北側に排気用換気装置２１を備える。給気用換気装置２２は、床下に空気を給気する。排気用換気装置２１は、床下の空気を排気する。排気用換気装置２１には床下用湿度センサ３１が備えられ、給気用換気装置２２には外気用湿度センサ３２が備えられる。また、コントローラ（制御部）１は、各々の換気装置２１，２２の運転を制御する。コントローラ１は、湿度センサ３１，３２に検知された湿度や、予め設定される設定湿度値を記憶する記憶部（湿度記憶部，設定値記憶部）３を有する。
【００１３】
床下用湿度センサ３１は、排気用換気装置２１の風路近傍に配置されて、排気用換気装置２１が動作することにより床下湿度を検知する。外気用湿度センサ３２は、給気用換気装置２２の風路近傍に配置されて、給気用換気装置２２が動作することにより屋外湿度を検知する。
【００１４】
排気用換気装置２１と給気用換気装置２２の筐体、羽根、モータ、湿度センサは、同一の構成となっている。したがって、パネル４１，４２の取付け位置を、筐体に対する空気の流れの上流側にするか、下流側にするかの変更により、排気用換気装置２１と給気用換気装置２２のどちらにも使用できる構造になっている。この場合、同一の構造である換気装置が排気用であるのか給気用であるのかをコントローラ１で認識できるように、給気用換気装置２２からの信号線や外気用湿度センサ３２からの信号線は、コントローラ１の給気用センサ入力に接続し、排気用換気装置２１からの信号線や床下用湿度センサ３１からの信号線はコントローラ１の排気用センサ入力に接続している。
【００１５】
なお、給気・排気の判別方法や屋外湿度・床下湿度の判別方法は、信号線の接続先によるものに限られない。給気用換気装置２２と排気用換気装置２１とでは設置状態でパネル４１，４２の取り付けられる位置が異なるため、パネルの取り付け部にマイクロスイッチ等を設けて、マイクロスイッチの状態をコントローラ１に取り込むように構成してもよい。マイクロスイッチの状態によって、換気装置が給気用であるか排気用であるか、または湿度情報が外気湿度を示す情報であるか床下湿度を示す情報であるか判別させるようにしてもよい。
【００１６】
次に、床下換気システム２のコントローラ１による換気装置２１，２２の制御方法について図面を用いて説明する。図２は、床下換気システム２の制御手順を示すフローチャートである。図３は、屋外湿度および床下湿度と、床下換気システムの制御状態との関係を示す図である。
【００１７】
まず、排気用換気装置２１を動作させて（ステップＳ１）、排気用換気装置２１に搭載されている床下用湿度センサ３１により床下湿度Ｈａを検知して取得する（ステップＳ２）。このとき床下湿度を正確に捉えるため、排気用換気装置を一定期間運転させた後での床下用湿度センサ３１の測定値を床下湿度Ｈａとする。
【００１８】
次に、コントローラ１の記憶部３に記憶された湿度設定値（第１の設定値）Ｈｓｅｔと床下湿度Ｈａとを比較して、Ｈａ≧Ｈｓｅｔの場合（ステップＳ３，Ｙｅｓ）、給気用換気装置２２を動作させる（ステップＳ４）。そして、給気用換気装置２２に搭載されている外気用湿度センサ３２により屋外湿度Ｈｂを検知して取得する（ステップＳ５）。
【００１９】
次に、湿度設定値Ｈｓｅｔと屋外湿度Ｈｂを比較して、Ｈｂ≧Ｈｓｅｔの場合（ステップＳ６，Ｙｅｓ）、床下湿度Ｈａと屋外湿度Ｈｂを比較して、Ｈｂ≧Ｈａのときは（ステップＳ７，Ｙｅｓ）、換気装置２１，２２を動作させても床下湿度を下げることは困難であると判断して、排気用換気装置２１を停止させ（ステップＳ８）、給気用換気装置２２を停止させる（ステップＳ９）。なお、図３に示す状態Ｃ２のような場合に、このような制御が行われる。
【００２０】
ステップＳ７において、Ｈｂ＜Ｈａの場合（ステップＳ７，Ｎｏ）、床下湿度および屋外湿度の両方がコントローラ１に設定された湿度設定値より高い状態ではあるが、屋外湿度Ｈｂの方が低湿度のため、排気用換気装置２１を動作させ（ステップＳ１０）、給気用換気装置２２を停止させて（ステップＳ１１）、床下湿度を少しでも下げるように制御する。なお、図３に示す状態Ａ１のような場合に、このような制御が行われる。
【００２１】
また、ステップＳ６において、Ｈｂ＜Ｈｓｅｔの場合（ステップＳ６，Ｎｏ）、床下湿度Ｈａが湿度設定値Ｈｓｅｔより高い状態であって、屋外湿度Ｈｂが床下湿度Ｈａよりも低い状態であるから、排気用換気装置２１を動作させ（ステップＳ１０）、給気用換気装置２２を停止させて（ステップＳ１１）、床下湿度を少しでも下げるように制御する。なお、図３に示す状態Ａ２のような場合に、このような制御が行われる。
【００２２】
上述するように、床下湿度Ｈａが湿度設定値Ｈｓｅｔを超えている場合は、外気湿度Ｈｂの高低に関わらず、給気用換気装置２２を動作させないようにしている（ステップＳ１１を参照）。これは、給気用換気装置２２を補助的な役割を果たす換気装置とし、排気・給気両方の換気装置を動作させる時間を削減して、省エネルギー化を図るためである。
【００２３】
ステップＳ３において、Ｈａ＜Ｈｓｅｔの場合（ステップＳ３，Ｎｏ）、ステップＳ４，Ｓ５と同様に、給気用換気装置２２を動作させるとともに（ステップＳ１２）、外気用湿度センサ３２にて屋外湿度Ｈｂを取得する（ステップＳ１３）。そして、コントローラ１で設定した湿度設定値Ｈｓｅｔと屋外湿度Ｈｂを比較して、Ｈｂ＜Ｈｓｅｔの場合（ステップＳ１４，Ｙｅｓ）、床下湿度Ｈａと屋外湿度Ｈｂを比較する（ステップＳ１５）。そして、Ｈｂ＜Ｈａの場合（ステップＳ１５，Ｙｅｓ）、床下湿度Ｈａおよび屋外湿度Ｈｂともにコントローラ１の湿度設定値Ｈｓｅｔより低く、屋外湿度Ｈｂの方が床下湿度Ｈａよりも低湿度のため、床下湿度を下げることができると判断する。そして、排気用換気装置２１の動作を停止させるとともに（ステップＳ１６）、給気用換気装置２２の動作を停止させて（ステップＳ１７）、床下の高湿度の空気を排気すると同時に屋外の低湿度の空気を積極的に取込むことにより早期に床下の環境の改善を図る。なお、図３に示す状態Ｂのような場合に、このような制御が行われる。
【００２４】
ステップＳ１５において、Ｈｂ≧Ｈａの場合（ステップＳ１５，Ｎｏ）、これ以上の床下の環境改善は見込めないと判断して、排気用換気装置２１および給気用換気装置２２を停止させる（ステップＳ１８，Ｓ１９）。なお、図３に示す状態Ｃ３のような場合に、このような制御が行われる。
【００２５】
また、ステップＳ１４において、Ｈｂ≧Ｈｓｅｔの場合（ステップＳ１４，Ｎｏ）、床下湿度がコントローラ１の湿度設定値より低く、屋外湿度がコントローラ１の湿度設定値より高いので、床下の環境改善は見込めないため、排気用換気装置２１および給気用換気装置２２を停止させる（ステップＳ１８，Ｓ１９）。なお、図３に示す状態Ｃ１のような場合に、このような制御が行われる。
【００２６】
以上説明したように、排気用換気装置２１に設けられた床下用湿度センサ３１にて床下湿度を検知し、給気用換気装置２２に設けられた外気用湿度センサ３２にて屋外湿度を検知することで、床下の環境を精度よく検知することができる。精度よく検知した床下の環境（床下湿度および屋外湿度）に基づいて換気装置２１，２２を制御するので、床下の環境を素早く改善することができる。また、床下湿度と屋外湿度の状態に応じて、動作させる換気装置２１，２２の数を変更して、省エネルギー化を図ることのできる床下換気システム２が実現できる。なお、図２に示すステップＳ１０，１１において、排気用換気装置２１を動作させて、給気用換気装置２２を停止させているが、排気用換気装置２１を停止させて、給気用換気装置２２を動作させてもよい。この場合にも、一方の換気装置を停止させることで省エネルギー化を図ることができる。
【００２７】
また、従来の床下換気システムであれば、コントローラの設定値以上の湿度を検知した場合、換気装置は停止させるしかなかったため、梅雨時期のように屋外湿度が高い状態が続くと換気装置が全く動作しない場合もあるが、本実施の形態で示した制御方法によれば、改善効果があると判断できる場合（床下湿度よりも屋外湿度のほうが小さい場合）は、換気装置を動作させることができる。また、除湿装置のような特別な装置を用いなくても床下湿度の改善を図ることができるので、床下換気システム２のコストを抑制することができる。
【００２８】
実施の形態２．
図４は、本発明の実施の形態２に係る床下換気システムの制御状態と、屋外湿度および床下湿度との関係を示す図であって、図３に示すＩ部分を拡大した図である。本実施の形態２に係る床下換気システム２は、実施の形態１で説明したものと略同様の構成であるので、詳細な説明および図示を省略し、同様の符号を用いて説明する。
【００２９】
本実施の形態２では、所定の一定間隔で検知した屋外湿度を、例えばコントローラ１が備える記憶部３に記憶する。また、所定の一定間隔で検知した床下湿度を、例えばコントローラ１が備える記憶部３に記憶する。前回検知された屋外湿度Ｈｂ（ｎ−１）と現在の屋外湿度Ｈｂ（ｎ）から、以下の数式（１）に基づいて、コントローラ１によって屋外湿度変動値△Ｈｂが算出される。
△Ｈｂ＝Ｈｂ（ｎ）−Ｈｂ（ｎ−１）      （１）
【００３０】
同様に、前回検知された床下湿度Ｈａ（ｎ−１）と現在の床下湿度Ｈａ（ｎ）から、以下の数式（２）に基づいて床下湿度変動値△Ｈａが算出される。
△Ｈａ＝Ｈａ（ｎ）−Ｈａ（ｎ−１）      （２）
【００３１】
この変動値△Ｈｂと△Ｈａを使用すれば、より詳細な床下換気システムの制御方法の実現が可能となる。屋外湿度変動値△Ｈｂが、記憶部３に予め記憶されたある設定値（第２の設定値）以上である場合、例えば、設定値を５％ＲＨとして△Ｈｂ≧５である場合、屋外湿度が上昇傾向にあると判断する。
【００３２】
このとき、床下湿度変動値△Ｈａも、記憶部３に予め記憶されたある設定値（第３の設定値）の範囲内である場合、例えば、設定値を３％ＲＨとして△Ｈａ＜３である場合、屋外湿度の流入があっても床下の湿度に影響がないと判断して現在の運転状態を継続する。例えば、図４に示す矢印Ｒで示す部分でこのような制御が行われる。
【００３３】
一方、△Ｈａ≧３の場合であって、排気用換気装置２１と給気用換気装置２２がともに運転状態であれば、屋外湿度の流入が床下湿度へ影響していると判断して、給気用換気装置２２を停止させる。例えば、図４に示す矢印Ｐで示す部分でこのような制御が行われる。
【００３４】
また、△Ｈａ≧３の場合であって、排気用換気装置２１が運転状態で給気用換気装置２２が停止状態であれば、排気用換気装置２１が運転状態であることにより屋外湿度が流入して床下湿度が上昇していると判断し、排気用換気装置２１を停止させる。例えば、図４に示す矢印Ｑで示す部分でこのような制御が行われる。
【００３５】
以上説明したように、湿度変動値△Ｈａ，△Ｈｂに基づいて換気装置２１，２２を制御することで、屋外湿度の影響を確認しながら運転制御することが可能となり、より一層の省エネルギー化を図ることができる。より具体的には、実施の形態１で示した制御方法では、両換気装置２１，２２が動作する領域Ｂとなる部分の一部で、本実施の形態２で示す制御方法であれば、排気用換気装置２１だけが動作する領域Ａとなっている（矢印Ｐで示す部分）。また、実施の形態１で示した制御方法では、排気用換気装置２１が動作する領域Ａとなる部分で、本実施の形態２で示す制御方法であれば、両換気装置２１，２２が動作を停止する領域Ｃとなっている（矢印Ｑで示す部分）。
【００３６】
実施の形態３．
図５は、本発明の実施の形態３に係る床下換気システムの概略構成を示す図である。上記実施の形態と同様の構成については、同様の符号を付して詳細な説明を省略する。本実施の形態３では、パネル４１，４２にシャッター５１，５２が設けられている。シャッター５１，５２は、換気装置２１，２２の運転状態に連動するように、コントローラ１によってその開閉が制御される。すなわち、排気用換気装置２１の運転中は、シャッター５１が開かれ、排気用換気装置２１の停止中は、シャッター５１が閉じられる。また、給気用換気装置２２の運転中は、シャッター５２が開かれ、給気用換気装置２２の停止中は、シャッター５２が閉じられる。これにより、換気装置２１，２２が停止しているときは、屋外湿度の流入を確実に防止することができるようになり、より効率的な床下の除湿が可能となる。
【００３７】
例えば、実施の形態１では、排気用換気装置２１のみ運転する条件の時、給気用換気装置２２は停止しているものの、床下が負圧になり給気用換気装置２２の吸込み口から屋外湿度の流入が考えられる。一方、本実施の形態３では、シャッター５１，５２を具備することにより、停止中の換気装置から空気が流入するのを遮断できるため、より一層効果的な除湿が可能となる。
【産業上の利用可能性】
【００３８】
以上のように、本発明にかかる床下換気システムは、換気装置を用いて床下を除湿するのに適している。
【符号の説明】
【００３９】
１  コントローラ（制御部）
２  床下換気システム
３  記憶部（設定値記憶部，湿度記憶部）
２１  排気用換気装置
２２  給気用換気装置
３１  床下用湿度センサ
３２  外気用湿度センサ
４１，４２  パネル
５１，５２  シャッター
Ｐ，Ｑ，Ｒ  矢印
【図１】
2011237071.tif 000003
【図２】
2011237071.tif 000004
【図３】
2011237071.tif 000005
【図４】
2011237071.tif 000006
【図５】
2011237071.tif 000007